【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
ハードウェア構成光ネットワークのための送受信機であって、前記送受信機は、
ａ）前記ハードウェア構成ネットワークから入力光信号を受信する第１の光ポートであって、前記入力光信号は、受信光キャリヤ上のクライアントデータトラフィックと、前記クライアントデータトラフィックの変調周波数よりも低い周波数を有する前記受信光キャリヤ上の変調としてエンコードされた光ネットワーク要素を構成するための受信制御情報とを含む、第１の光ポートと、
ｂ）前記第１の光ポートに光結合された入力を有する受信機であって、前記受信機は、前記入力光信号を直接的に検出するフォトダイオードを含み、前記受信機は、前記光ネットワーク要素を構成するための前記受信制御情報をデコードし、前記クライアントデータトラフィックを受信する、受信機と、
ｃ）出力において光信号を生成する波長可変レーザであって、前記光信号は、ある波長を有する光キャリヤを有する、波長可変レーザと、
ｄ）前記波長可変レーザの前記出力に光結合された入力を有するモジュレータであって、前記モジュレータは、伝送クライアントデータトラフィックの前記変調周波数よりも低い周波数を有する前記光信号上で直接的に変調を行い、前記モジュレータは、これにより、前記光キャリヤの前記ある波長を有する伝送制御情報を表す第１の伝送光制御信号を生成し、前記モジュレータは、前記ハードウェア構成光ネットワーク内の要素を構成する第２の伝送光制御信を生成し、前記ハードウェア構成ネットワーク内の前記要素の前記構成は、波長可変チャネルの自動プロビジョニングと、データ接続の確立とを含む、モジュレータと、
ｅ）前記伝送制御情報を表している前記第１の伝送光制御信号を前記ハードウェア構成光ネットワークに伝送する第２の光ポートと
を含む、ハードウェア構成光ネットワークのための送受信機。
【請求項２】
前記第１の伝送光制御信号および前記第２の伝送光制御信号は、異なる伝送光制御信号である、請求項１に記載のハードウェア構成光ネットワークのための送受信機。
【請求項３】
前記モジュレータは、前記伝送制御情報を受信する電気変調入力をさらに含む、請求項１に記載のハードウェア構成光ネットワークのための送受信機。
【請求項４】
前記モジュレータは、前記光信号上に前記伝送クライアントデータトラフィックを与えるように構成されている、請求項１に記載のハードウェア構成光ネットワークのための送受信機。
【請求項５】
前記波長可変レーザの前記出力に光結合された入力と前記モジュレータの前記入力に結合された出力とを有する第２のモジュレータをさらに含み、前記第２のモジュレータは、前記光信号上に前記伝送クライアントデータトラフィックを与えるように構成されている、請求項１に記載のハードウェア構成光ネットワークのための送受信機。
【請求項６】
前記波長可変レーザは、１５２８ｎｍ〜１５６７ｎｍの波長範囲内の波長を生成するように構成されている、請求項１に記載のハードウェア構成光ネットワークのための送受信機。
【請求項７】
前記波長可変レーザは、前記ハードウェア構成光ネットワーク内の前記伝送光制御信号の宛先を決定する波長を生成するように構成されている、請求項１に記載のハードウェア構成光ネットワークのための送受信機。
【請求項８】
前記波長可変レーザは、前記ハードウェア構成光ネットワーク内の前記第１の伝送光制御信号および前記第２の伝送光制御信号のうちの少なくとも一方の経路を決定する波長を生成するように構成されている、請求項１に記載のハードウェア構成光ネットワークのための送受信機。
【請求項９】
前記第１の伝送光制御信号および前記第２の伝送光制御信号のうちの少なくとも一方は、マルチポイント通信プロトコルを含む、請求項１に記載のハードウェア構成光ネットワークのための送受信機。
【請求項１０】
前記第１の伝送光制御信号および前記第２の伝送光制御信号のうちの少なくとも一方は、衝突回避プロトコルを含む、請求項１に記載のハードウェア構成光ネットワークのための送受信機。
【請求項１１】
前記衝突回避プロトコルは、イーサネット（登録商標）プロトコルを含む、請求項１０に記載のハードウェア構成光ネットワークのための送受信機。
【請求項１２】
前記ハードウェア構成光ネットワーク内の前記要素を構成する前記第２の伝送光制御信号は、前記要素の調整動作を実行する、請求項１に記載のハードウェア構成光ネットワークのための送受信機。
【請求項１３】
前記ハードウェア構成光ネットワーク内の前記要素を構成する前記第２の伝送光制御信号は、前記要素の調整を実行する、請求項１に記載のハードウェア構成光ネットワークのための送受信機。
【請求項１４】
前記ハードウェア構成光ネットワーク内の前記要素を構成する第２の伝送光制御信号は、前記要素のプログラミング動作を実行する、請求項１に記載のハードウェア構成光ネットワークのための送受信機。
【請求項１５】
前記送受信機は、小型形状因子光送受信機として構成されている、請求項１に記載のハードウェア構成光ネットワークのための送受信機。
【請求項１６】
前記小型形状因子光送受信機は、ＳＦＰ送受信機を含む、請求項１５に記載のハードウェア構成光ネットワークのための送受信機。
【請求項１７】
ハードウェア構成ネットワーク内のデータ接続を自動的に確立するための方法であって、前記方法は、
ａ）波長可変である第１の送受信機を前記ハードウェア構成ネットワーク内の光リンクに接続することと、
ｂ）第２の送受信機を前記ハードウェア構成ネットワーク内の前記光リンクに接続することと、
ｃ）前記第１の送受信機において、ある波長におけるクライアントデータトラフィックを含む伝送光信号を生成することと、
ｄ）前記クライアントデータトラフィックの変調周波数よりも低い変調周波数を有する前記ある波長におけるクライアントデータトラフィックを含む前記生成された伝送光信号上で変調を行い、これにより、制御情報を表す伝送光制御信号を生成することにより、前記制御情報を表している変調を前記第１の送受信機においてエンコードすることと、
ｅ）前記光リンクを経由して前記制御情報を表す前記伝送光制御信号を伝送し、前記第２の送受信機において前記伝送光制御信号を受信することと、
ｆ）前記受信された伝送光制御信号から前記クライアントデータトラフィックを除去するように電気フィルタリングを用いて、前記受信された伝送光制御信号内でエンコードされた前記制御情報を前記第２の送受信機においてデコードすることと、
ｇ）前記デコードされた制御情報を用いて、前記第２の送受信機を構成し、前記第２の送受信機の前記構成に基づいて、前記光リンクを経由する前記第１の送受信機と前記第２の送受信機との間の前記データ接続を確立することと、
ｈ）前記第１の送受信機によって生成された前記波長を調整することにより、前記ハードウェア構成ネットワーク内の経路を決定することと
を含む、データ接続を自動的に確立するための方法。
【請求項１８】
波長選択スイッチを通して前記制御情報を表す前記伝送光制御信号を伝送することをさらに含む、請求項１７に記載のデータ接続を自動的に確立するための方法。
【請求項１９】
光増幅器を通して前記制御情報を表す前記伝送光制御信号を伝送することをさらに含む、請求項１７に記載のデータ接続を自動的に確立するための方法。
【請求項２０】
プログラマブルフィルタを通して前記制御情報を表す前記伝送光制御信号を伝送することをさらに含む、請求項１７に記載のデータ接続を自動的に確立するための方法。
【請求項２１】
ハードウェア構成ネットワーク内のデータ接続を自動的に確立するための方法であって、前記方法は、
ａ）第１の送受信機を前記ハードウェア構成ネットワーク内の光リンクに接続することと、
ｂ）波長可変である第２の送受信機を前記ハードウェア構成ネットワーク内の前記光リンクに接続することと、
ｃ）前記第１の送受信機において、ある波長におけるクライアントデータトラフィックを含む伝送光信号を生成することと、
ｄ）前記クライアントデータトラフィックの変調周波数よりも低い変調周波数を有する前記ある波長におけるクライアントデータトラフィックを含む前記生成された伝送光信号上で変調を行い、これにより、制御情報を表す伝送光制御信号を生成することにより、前記制御情報を表している変調を前記第１の送受信機においてエンコードすることと、
ｅ）前記光リンクを経由して前記制御情報を表す前記伝送光制御信号を伝送し、前記第２の送受信機において前記伝送光制御信号を受信することと、
ｆ）前記受信された伝送光制御信号から前記クライアントデータトラフィックを除去するように電気フィルタリングを用いて、前記受信された伝送光制御信号内でエンコードされた前記制御情報を前記第２の送受信機においてデコードすることと、
ｇ）前記デコードされた制御情報を用いて、前記第２の送受信機の波長を調整することによって、前記第２の送受信機を構成し、前記第２の送受信機の前記構成に基づいて、前記光リンクを経由する前記第１の送受信機と前記第２の送受信機との間の前記データ接続を確立することと
を含む、データ接続を自動的に確立するための方法。
【請求項２２】
波長選択スイッチを通して前記制御情報を表す前記伝送光制御信号を伝送することをさらに含む、請求項２１に記載のデータ接続を自動的に確立するための方法。
【請求項２３】
光増幅器を通して前記制御情報を表す前記伝送光制御信号を伝送することをさらに含む、請求項２１に記載のデータ接続を自動的に確立するための方法。
【請求項２４】
プログラマブルフィルタを通して前記制御情報を表す前記伝送光制御信号を伝送することをさらに含む、請求項２１に記載のデータ接続を自動的に確立するための方法。
【請求項２５】
ハードウェア構成ネットワーク内のデータ接続を自動的に確立するための方法であって、前記方法は、
ａ）第１の送受信機を前記ハードウェア構成ネットワーク内の光リンクに接続することと、
ｂ）第２の送受信機を前記ハードウェア構成ネットワーク内の前記光リンクに接続することと、
ｃ）前記第１の送受信機において、ある波長におけるクライアントデータトラフィックを含む伝送光信号を生成することと、
ｄ）前記クライアントデータトラフィックの変調周波数よりも低い変調周波数を有する前記ある波長におけるクライアントデータトラフィックを含む前記生成された伝送光信号上で位相変調を行い、これにより、制御情報を表す伝送光制御信号を生成することにより、前記制御情報を表している変調を前記第１の送受信機においてエンコードすることと、
ｅ）前記光リンクを経由して前記制御情報を表す前記伝送光制御信号を伝送し、前記第２の送受信機において前記伝送光制御信号を受信することと、
ｆ）前記受信された伝送光制御信号から前記クライアントデータトラフィックを除去するように電気フィルタリングを用いて、前記受信された伝送光制御信号内でエンコードされた前記制御情報を前記第２の送受信機においてデコードすることと、
ｇ）前記デコードされた制御情報を用いて、前記第２の送受信機を構成し、前記第２の送受信機の前記構成に基づいて、前記光リンクを経由する前記第１の送受信機と前記第２の送受信機との間の前記データ接続を確立することと
を含む、データ接続を自動的に確立するための方法。
【請求項２６】
波長選択スイッチを通して前記制御情報を表す前記伝送光制御信号を伝送することをさらに含む、請求項２５に記載のデータ接続を自動的に確立するための方法。
【請求項２７】
光増幅器を通して前記制御情報を表す前記伝送光制御信号を伝送することをさらに含む、請求項２５に記載のデータ接続を自動的に確立するための方法。
【請求項２８】
プログラマブルフィルタを通して前記制御情報を表す前記伝送光制御信号を伝送することをさらに含む、請求項２５に記載のデータ接続を自動的に確立するための方法。
【請求項２９】
ハードウェア構成ネットワーク内のデータ接続を自動的に確立するための方法であって、前記方法は、
ａ）第１の送受信機を前記ハードウェア構成ネットワーク内の光リンクに接続することと、
ｂ）第２の送受信機を前記ハードウェア構成ネットワーク内の前記光リンクに接続することと、
ｃ）前記第１の送受信機において、ある波長におけるクライアントデータトラフィックを含む伝送光信号を生成することと、
ｄ）前記クライアントデータトラフィックの変調周波数よりも低い変調周波数を有する前記ある波長におけるクライアントデータトラフィックを含む前記生成された伝送光信号上で直接的に振幅変調を行い、これにより、制御情報を表す伝送光制御信号を生成することにより、前記制御情報を表している変調を前記第１の送受信機においてエンコードすることと
ｅ）前記光リンクを経由して前記制御情報を表す前記伝送光制御信号を伝送し、前記第２の送受信機において前記伝送光制御信号を受信することと、
ｆ）前記受信された伝送光制御信号から前記クライアントデータトラフィックを除去するように電気フィルタリングを用いて、前記受信された伝送光制御信号内でエンコードされた前記制御情報を前記第２の送受信機においてデコードすることと、
ｇ）前記デコードされた制御情報を用いて、前記第２の送受信機を構成し、前記第２の送受信機の前記構成に基づいて、前記光リンクを経由する前記第１の送受信機と前記第２の送受信機との間の前記データ接続を確立することと
を含む、データ接続を自動的に確立するための方法。
【請求項３０】
波長選択スイッチを通して前記制御情報を表す前記伝送光制御信号を伝送することをさらに含む、請求項２９に記載のデータ接続を自動的に確立するための方法。
【請求項３１】
光増幅器を通して前記制御情報を表す前記伝送光制御信号を伝送することをさらに含む、請求項２９に記載のデータ接続を自動的に確立するための方法。
【請求項３２】
プログラマブルフィルタを通して前記制御情報を表す前記伝送光制御信号を伝送することをさらに含む、請求項２９に記載のデータ接続を自動的に確立するための方法。
【請求項３３】
ハードウェア構成ネットワーク内のデータ接続を自動的に確立するための方法であって、前記方法は、
ａ）第１の送受信機を前記ハードウェア構成ネットワーク内の光リンクに接続することと、
ｂ）第２の送受信機を前記ハードウェア構成ネットワーク内の前記光リンクに接続することと、
ｃ）前記第１の送受信機において、ある波長におけるクライアントデータトラフィックを含む伝送光信号を生成することと、
ｄ）前記クライアントデータトラフィックの変調周波数よりも低く、１００ｋＨｚよりも低い変調周波数を有する前記ある波長におけるクライアントデータトラフィックを含む前記生成された伝送光信号上で変調を行い、これにより、制御情報を表す伝送光制御信号を生成することにより、前記制御情報を表している変調を前記第１の送受信機においてエンコードすることと、
ｅ）前記光リンクを経由して前記制御情報を表す前記伝送光制御信号を伝送し、前記第２の送受信機において前記伝送光制御信号を受信することと、
ｆ）前記受信された伝送光制御信号から前記クライアントデータトラフィックを除去するように電気フィルタリングを用いて、前記受信された伝送光制御信号内でエンコードされた前記制御情報を前記第２の送受信機においてデコードすることと、
ｇ）前記デコードされた制御情報を用いて、前記第２の送受信機を構成し、前記第２の送受信機の前記構成に基づいて、前記光リンクを経由する前記第１の送受信機と前記第２の送受信機との間の前記データ接続を確立することと
を含む、データ接続を自動的に確立するための方法。
【請求項３４】
波長選択スイッチを通して前記制御情報を表す前記伝送光制御信号を伝送することをさらに含む、請求項３３に記載のデータ接続を自動的に確立するための方法。
【請求項３５】
光増幅器を通して前記制御情報を表す前記伝送光制御信号を伝送することをさらに含む、請求項３３に記載のデータ接続を自動的に確立するための方法。
【請求項３６】
プログラマブルフィルタを通して前記制御情報を表す前記伝送光制御信号を伝送することをさらに含む、請求項３３に記載のデータ接続を自動的に確立するための方法。